(57)【特許請求の範囲】
【請求項１】
第１の操作キーと第２の操作キーとを有する操作部と、
上記第１および第２の操作キーの操作に基づいて通常の時刻を表示する時計モードとサマータイム時刻を表示するサマータイムモードとの切り替えを行う制御部と、
上記制御部により切り替えられた上記時計モードまたは上記サマータイムモードに対応した時刻を表示する時刻表示部とを備え、
上記制御部は、
上記時計モードにおいて上記第１の操作キーが押されたとき、上記時計モードから上記サマータイムモードに切り替えるか否かを上記時刻表示部に表示させ、
上記表示状態において上記第２の操作キーが押されたとき、上記確認表示から予め設定されたシフト時間だけシフトさせたサマー時刻に切り替えて上記時刻表示部に表示させる時刻表示装置。
【請求項２】
上記サマー時刻への切り替えが行われたときには、上記時刻表示部上にサマータイム表示モードであることを示す表示がなされた請求項１記載の時刻表示装置。
【請求項３】
第１の操作キーと第２の操作キーとを有する操作部と、
上記第１および第２の操作キーの操作に基づいて通常の時刻を表示する時計モードと予め設定されたシフト時間だけシフトさせたサマータイム時刻を表示するサマータイムモードとの切り替えを行う制御部と、
上記制御部により切り替えられた上記時計モードまたは上記サマータイムモードに対応した時刻を表示する時刻表示部とを備えた時刻表示装置が、
上記時計モードにおいて上記第１の操作キーが押されたとき、上記時計モードから上記サマータイムモードに切り替えるか否かを上記時刻表示部に表示する第１のステップと、
上記第１のステップの上記表示状態において上記第２の操作キーが押されたとき、上記サマー時刻を上記時刻表示部に表示する第２のステップとを有する時刻設定方法。
【発明の詳細な説明】
【０００１】
【発明の属する技術分野】
この発明は時刻表示装置および時刻設定方法に関する。詳しくは、サマータイムなどのように予めシフトすべき時間を記憶しておき、特定のキーが押されたときには無条件でこの時間だけ自動的に表示時刻を切り替えられるようにして時刻表示変更処理の簡略化を達成したものである。
【０００２】
【従来の技術】
ヨーロッパの諸国においては夏時間（サマータイム）を採用している。サマータイムはその多くは冬時間を１時間だけ早めることが多い。ラジカセなどの電子機器において時計機能を有すものでは、このサマータイムのセットを時間（時刻）の調整と同じような手順で行っている。ある種の電子機器では次のような手順でサマータイムをセットしている。
（１）クロックキーを押してＬＣＤなどの表示部に現在の時刻（時、分若しくは時、分、秒）を表示する。
（２）セットキーを押す。こうすると「時」の表示桁が点滅表示となる。
（３）シフトキーによって「時」の位をサマータイム調整時間（１時間あるいは２時間）だけシフトする。
（４）セットキーを押して調整時間を確定する。
（５）セットキーを押し続けて分および秒の調整をスルーにして確定する。
このような調整を経てサマータイムの設定を行う。
【０００３】
あるいはまた、サマータイムとなる月日は予め分かっているので、この月日をソフト的に監視し、一致したときにサマータイムに切り替えるようなソフトウェアを組み込んだものも知られている。
【０００４】
【発明が解決しようとする課題】
ところで、このようなサマータイムの調整は、通常の時刻調整モードにおける時間（Ｈ）の調整手順と全く同じである。この調整手順は上述したように意外と面倒である。また、このようにサマータイムソフト用の専用ソフトウェアを組み入れたものでは、常時現在の月日を監視しなければならないので、ソフトウェアの負担が大きくなり過ぎるきらいがある。
また、このような従来例ではサマータイム後の時刻表示であるのか、冬時間のままの時刻表示であるのかを明確に識別できない。
そこで、この発明は少なくともこのような面倒な調整手順を省けるサマータイム専用の調整モードを設けた時計装置を提案するものである。
【０００５】
【課題を解決するための手段】
上述の課題を解決するため、この発明に係る時刻表示装置は、第１の操作キーと第２の操作キーとを有する操作部と、上記第１および第２の操作キーの操作に基づいて通常の時刻を表示する時計モードとサマータイム時刻を表示するサマータイムモードとの切り替えを行う制御部と、前記制御部により切り替えられた上記時計モードまたは上記サマータイムモードに対応した時刻を表示する時刻表示部とを備え、上記制御部は、上記時計モードにおいて上記第１の操作キーが押されたとき、上記時計モードから上記サマータイムモードに切り替えるか否かを上記時刻表示部に表示させ、上記表示状態において上記第２の操作キーが押されたとき、上記確認表示から予め設定されたシフト時間だけシフトさせたサマー時刻に切り替えて上記時刻表示部に表示させるものである。
【０００６】
また、この発明に係る時刻設定方法は、第１の操作キーと第２の操作キーとを有する操作部と、上記第１および第２の操作キーの操作に基づいて通常の時刻を表示する時計モードと予め設定されたシフト時間だけシフトさせたサマータイム時刻を表示するサマータイムモードとの切り替えを行う制御部と、上記制御部により切り替えられた上記時計モードまたは上記サマータイムモードに対応した時刻を表示する時刻表示部とを備えた時刻表示装置が、上記時計モードにおいて上記第１の操作キーが押されたとき、上記時計モードから上記サマータイムモードに切り替えるか否かを上記時刻表示部に表示する第１のステップと、上記第１のステップの上記表示状態において上記第２の操作キーが押されたとき、上記サマー時刻を上記時刻表示部に表示する第２のステップとを有するものである。
【０００７】
この発明では、時刻表示部を用いてサマータイム変更モードであるか否かを明確に識別できるようにする。次に簡単にサマータイムに変更するための変更手順を簡略化する。時刻表示部上にはサマータイム表示”Ｓ”のイニシャル表示を行う。
【０００８】
【発明の実施の形態】
続いて、この発明に係る時計表示装置および時刻設定方法の一実施形態をラジカセなどの電子機器に適用した場合について図面を参照して詳細に説明する。
この発明に係る時刻表示装置および時刻設定方法が適用される電子機器には、図１に示すように時計機能の制御およびラジカセの各種動作を司るＣＰＵを搭載した制御部２０を有し、これにはそれらの制御を実行できる複数の制御プログラムが格納されたメモリ手段（ＲＯＭ）２２を有すると共に、時計表示、チャネル表示などを行う。この例ではＬＣＤ使用の表示部２４が設けられている。この制御部２０には各種ファンクション設定のための複数の操作キーが設けられている。この発明に関連する操作キーのみ図示すると、時刻表示をコントロールするクロックキー２８、調整部所をセレクトしたり、調整後の状態をセットしたりするセットキー３０、時間をシフトするシフトキー３２、モードをクリアするクリアキー３４などが設けられている。さらに、制御部２０内には時計モードを実行するためタイマ３６が設けられている他、制御部２０を含めたこの時刻表示装置に対する駆動電源３８が設けられている。
【０００９】
また、制御部２０に接続されたＲＡＭなどのワーキングメモリ４０にはサマータイムで使用するシフト時間αなどがメモりされている。このシフト時間αはキー入力によって変更が可能である。
【００１０】
続いてこの発明に係るサマータイム変更処理手順の一実施形態を図３の表示例を参照しながら、図２のフローチャートを用いて説明する。
時計モードはクロックキー２８によって選択される。クロックキー２８が押されないと表示部上には時刻が表示されない（ステップ５１，５２）。このクロックキー２８が押されて初めて時刻（例えば時、分）が表示部上に図３Ａのように表示される（ステップ５３）。この表示モードのとき再度同じクロックキー２８が押されると、サマータイムモードに遷移し、表示部２４上には、例えば図３Ｂのように「サマータイムオン（SUMMER TIME ON）？」にセットするか否かの表示がなされる（ステップ５４，５５，５６）。図では、短縮した「SUMMER ON？」表示例を示す。
【００１１】
この表示状態のときユーザがセットキー３０を押すと、表示時刻はサマータイム時刻に切り替えられる（ステップ５７，５８）。例えばサマータイムが１時間シフトするものと規定されているときで、現時刻が「１０：００」であったときには表示時刻は自動的に「９：００」に切り替えられる。さらにこの切り替え表示の他に、表示時刻の先頭にはサマータイム表示であることを明示するため、この例では「Ｓ」などのイニシャル表示がなされる。このセットキー３０の操作のみでサマータイムへの表示切り替えが終了する（図３Ｃ）。
【００１２】
一方、クロックキー２８は押したもののセットキー３０が押されずにクリアキー３４が押されると（ステップ５９）、サマータイムモードがクリアされ、時計モードへの待機状態に遷移し、時刻表示は変更されない（ステップ５９，５１）。クリアキー３４も押されず所定時間（ｔ０）が経過したときも同じく時計モードへの待機状態に遷移する（ステップ６０）。
【００１３】
また、ステップ５５での表示モードで、既にサマータイムがセットされているときには、表示部２４上には「サマータイムオフ（SUMMER TIME OFF)？」などのような表示がなされる（図３Ｄ、ステップ６１）。図では短縮した「SUMMER OFF？」表示例を示す。
【００１４】
この表示状態のときクロックキー２８を押すと、サマータイムから元の時刻（冬時間）へ表示時刻の切り替えが自動的に行われる（ステップ６３）。これと同時にサマータイム表示であることを示すイニシャル「Ｓ」の表示も消える。この操作で元の時刻への表示切り替えが終了する。
【００１５】
ステップ６２で、２度目のクロックキー２８も押されず、セットキー３０も押されずにクリアキー３４が押されたときには時計モードへの待機状態となり、表示時刻は変更されない（ステップ６２，５９，５１）。またクリアキー３４も押されない時間が一定時間（＝ｔ０）続くと同じく最初の時計モードに戻る（ステップ６０）。
【００１６】
一方、時計モードへ遷移するために最初のクロックキー２８が押された状態で（ステップ５１）、再度クロックキー２８が押されることなく、これに代えてセットキー３０が押されたときには（ステップ５４，６４）、通常の時刻調整モードに移行する（ステップ６５）。この時刻調整操作は従来と同様であるので、その説明は割愛する。
【００１７】
２度目のクロックキー２８も押されず、セットキー３０も押されずにクリアキー３４が押されたときには時計モードへの待機状態となる（ステップ５４，６４，５９，５１）。またクリアキー３４も押されない時間が一定時間（＝ｔ０）続くと同じく最初の時計モードに戻る（ステップ６０）。
【００１８】
上述した実施形態では、この発明をラジカセに搭載された時刻表示装置に適用したが、目覚まし時計、柱時計などのデジタル式の時刻表示装置であれば、この発明を適用できる。
サマータイムへのシフト時間はＲＡＭ４０の内容を書き換えるだけでよいので、その内容変更は容易である。
【００１９】
【発明の効果】
以上説明したようにこの発明ではサマータイム設定モードを選択したときには、キーの押し釦操作を少なくして目的のサマータイムへの時刻変更を可能にしたものである。
これによれば、マニュアルで時刻を変更することなくサマータイム時刻に切り替え表示することができるので、ユーザの手を煩わせることなくサマータイム時刻への切り替え操作を極めて簡単に行うことができる。サマータイムへの時刻表示の切り替えは予めセットされた値であるのでユーザが間違ってサマータイム時刻をセットするような間違いを確実に防止できる。
また、サマータイムモードに切り替えられているときには表示部上にモード設定を示す表示を時刻表示と同時に行うようにする場合には、表示内容を確認するだけでサマータイムに切り替えられているかどうかを視覚的に簡単に把握できる特徴を有する。
したがって、この発明は時計表示機能を有するラジカセやミニコンポなどの音響電子機器に適用して極めて好適である。
【図面の簡単な説明】
【図１】この発明に係る時計表示装置を内蔵した電子機器の一実施形態を示す要部の系統図である。
【図２】サマータイム変更モードを実現するための一実施形態を示すフローチャートである。
【図３】サマータイム変更モード時における時刻表示例を示す図である。
【符号の説明】
１０  時刻表示装置
２０  制御部（ＣＰＵ）
２４  ＬＣＤ表示部
２８  クロックキー
３０  セットキー
３４  クリアキー
４０  ＲＡＭ
【図１】
0004604292.tif 000002
【図２】
0004604292.tif 000003
【図３】
0004604292.tif 000004